【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンにおいて、
前面が開口する本体と、
前記本体の前面開口を開閉可能に設けられる前面扉と、
前記ゲームの進行を制御する遊技制御手段と、
前記ゲームの進行に関わる演出を実行することが可能な演出手段と、
前記演出手段を制御する演出制御手段と、
前記演出手段が取り付けられる演出手段取付部材と、
前記演出制御手段が取り付けられる演出制御手段取付部材と、
前記演出手段を透視可能な透明領域を有し、該演出手段の表面を覆うパネルと、
を備え、
前記演出手段取付部材及び前記演出制御手段取付部材には、前記演出手段と前記演出制御手段とを接続する配線を挿通可能であって、前記演出手段取付部材と前記演出制御手段取付部材との対向面双方にそれぞれ配線挿通口が形成され、
前記演出手段取付部材と前記演出制御手段取付部材との対向面間には、前記配線を収容可能な空間部が形成され、
前記演出手段及び前記演出制御手段は、前記演出手段取付部材及び前記演出制御手段取付部材に取り付けられ互いに一体化された状態で、前記演出手段を前記パネルの前記透明領域に臨ませるように前記前面扉の背面側に着脱可能に取り付けられ、
前記パネルは、前記一体化された前記演出手段及び前記演出制御手段を、前記前面扉から取り外す場合に、該パネルが前記前面扉側に残るように該前面扉に対して一体に取り付けられており、
前記演出手段取付部材及び前記演出制御手段取付部材が互いに一体化された状態において、前記演出手段取付部材側の配線挿通口と前記演出制御手段取付部材側の配線挿通口とは、配線が前記空間部に収容されるように互いに異なる位置に設けられている、
ことを特徴とするスロットマシン。
【手続補正２】
【補正対象書類名】明細書
【補正対象項目名】０００７
【補正方法】変更
【補正の内容】
【０００７】
上記課題を解決するために、本発明のスロットマシンは、
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンにおいて、
前面が開口する本体と、
前記本体の前面開口を開閉可能に設けられる前面扉と、
前記ゲームの進行を制御する遊技制御手段と、
前記ゲームの進行に関わる演出を実行することが可能な演出手段と、
前記演出手段を制御する演出制御手段と、
前記演出手段が取り付けられる演出手段取付部材と、
前記演出制御手段が取り付けられる演出制御手段取付部材と、
前記演出手段を透視可能な透明領域を有し、該演出手段の表面を覆うパネルと、
を備え、
前記演出手段取付部材及び前記演出制御手段取付部材には、前記演出手段と前記演出制御手段とを接続する配線を挿通可能であって、前記演出手段取付部材と前記演出制御手段取付部材との対向面双方にそれぞれ配線挿通口が形成され、
前記演出手段取付部材と前記演出制御手段取付部材との対向面間には、前記配線を収容可能な空間部が形成され、
前記演出手段及び前記演出制御手段は、前記演出手段取付部材及び前記演出制御手段取付部材に取り付けられ互いに一体化された状態で、前記演出手段を前記パネルの前記透明領域に臨ませるように前記前面扉の背面側に着脱可能に取り付けられ、
前記パネルは、前記一体化された前記演出手段及び前記演出制御手段を、前記前面扉から取り外す場合に、該パネルが前記前面扉側に残るように該前面扉に対して一体に取り付けられており、
前記演出手段取付部材及び前記演出制御手段取付部材が互いに一体化された状態において、前記演出手段取付部材側の配線挿通口と前記演出制御手段取付部材側の配線挿通口とは、配線が前記空間部に収容されるように互いに異なる位置に設けられている、
ことを特徴としている。
この特徴によれば、演出手段とこれを制御する演出制御手段とを、筐体に対して同時に取り付けたり取り外したりすることが出来、作業効率が向上するため、機種変更等に伴う演出手段または演出制御手段の交換作業を容易に行うことが出来るばかりか、故障時等におけるメンテナンス性が向上する。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】０１８５
【補正方法】変更
【補正の内容】
【０１８５】
本発明の請求項１は、
１ゲームに対して賭数を設定することによりゲームが開始可能となるとともに、表示状態を変化させることが可能な可変表示装置（５０）の表示結果が導出表示されることにより１ゲームが終了し、該可変表示装置の表示結果に応じて所定の入賞が発生可能なスロットマシン（１）において、
前面が開口する本体（筺体２ａ）と、
前記本体の前面開口を開閉可能に設けられる前面扉（２ｂ）と、
前記ゲームの進行を制御する遊技制御手段（遊技制御基板２００）と、
前記ゲームの進行に関わる演出を実行することが可能な演出手段（液晶表示器１３５）と、
前記演出手段を制御する演出制御手段（演出制御基板２０１）と、
前記演出手段が取り付けられる演出手段取付部材（液晶取付けケース３０１）と、
前記演出制御手段が取り付けられる演出制御手段取付部材（基板取付けケース３０２）と、
前記演出手段を透視可能な透明領域を有し、該演出手段の表面を覆うパネル（入賞図柄説明パネル５）と、
を備え、
前記演出手段取付部材及び前記演出制御手段取付部材には、前記演出手段と前記演出制御手段とを接続する配線を挿通可能であって、前記演出手段取付部材と前記演出制御手段取付部材との対向面双方にそれぞれ配線挿通口（ケーブル挿通穴３２３、コード挿通穴３２４、ケーブル挿通穴３４８）が形成され、
前記演出手段取付部材と前記演出制御手段取付部材との対向面間には、前記配線を収容可能な空間部が形成され、
前記演出手段及び前記演出制御手段は、前記演出手段取付部材及び前記演出制御手段取付部材に取り付けられ互いに一体化された状態で、前記演出手段を前記パネル（入賞図柄説明パネル５）の前記透明領域に臨ませるように前記前面扉（２ｂ）の背面側に着脱可能に取り付けられ、
前記パネルは、前記一体化された前記演出手段及び前記演出制御手段を、前記前面扉から取り外す場合に、該パネル（入賞図柄説明パネル５）が前記前面扉側に残るように該前面扉（２ｂ）に対して一体に取り付けられており、
前記演出手段取付部材及び前記演出制御手段取付部材が互いに一体化された状態において、前記演出手段取付部材側の配線挿通口（ケーブル挿通穴３２３、コード挿通穴３２４）と前記演出制御手段取付部材側の配線挿通口（ケーブル挿通穴３４８）とは、配線が前記空間部に収容されるように互いに異なる位置に設けられている。
【手続補正１２】
【補正対象書類名】明細書
【補正対象項目名】０１８６
【補正方法】変更
【補正の内容】
【０１８６】
本発明は、前記演出手段（液晶表示器１３５）は演出手段取付部材（液晶取付けケース３０１）に取り付けられているとともに、前記演出制御手段（演出制御基板２０１）は演出制御手段取付部材（基板取付けケース３０２）に取り付けられており、前記演出手段取付部材と前記演出制御手段取付部材とは、それぞれ互いに別々に構成されているとともに、連結手段（連結ネジ３３０）を介して互いに一体化出来るように構成されている。
【手続補正１３】
【補正対象書類名】明細書
【補正対象項目名】０１８７
【補正方法】変更
【補正の内容】
【０１８７】
本発明は、前記スロットマシン（１）は、該スロットマシンを装飾する装飾手段（蛍光灯１３８ａ、１３８ｂ）を備えており、該装飾手段は、前記演出制御手段（演出制御基板２０１）により制御されるとともに、前記演出制御手段と互いに一体化された状態で前記筐体（前面扉２ｂ）の所定箇所に取り付けられている。
【手続補正１４】
【補正対象書類名】明細書
【補正対象項目名】０１８８
【補正方法】変更
【補正の内容】
【０１８８】
本発明は、前記演出手段取付部材（液晶取付けケース３０１）には、前記演出手段（液晶表示器１３５）の所定箇所を係止する係止手段（係止片３２１）が設けられており、該係止手段により前記演出手段を係止した状態で前記演出手段を前記演出手段取付部材に固定出来るように構成されている。
【手続補正１５】
【補正対象書類名】明細書
【補正対象項目名】０１８９
【補正方法】変更
【補正の内容】
【０１８９】
本発明は、前記演出手段（液晶表示器１３５）は、前記演出制御手段（演出制御基板２０１）及び／または前記演出手段取付部材（液晶取付けケース３０１）に対して着脱可能に取り付けられている。
【手続補正１６】
【補正対象書類名】明細書
【補正対象項目名】０１９０
【補正方法】変更
【補正の内容】
【０１９０】
本発明は、前記演出手段（液晶表示器１３５）及び前記演出手段取付部材（液晶取付けケース３０１）からなる演出手段ユニットと、演出制御手段（演出制御基板２０１）及び前記演出制御手段取付部材（基板取付けケース３０２）からなる演出制御手段ユニットとのうち、大きさが大きい方のユニットが前記筐体（前面扉２ｂ）の所定箇所に取り付けられている。
【手続補正１７】
【補正対象書類名】明細書
【補正対象項目名】０１９１
【補正方法】変更
【補正の内容】
【０１９１】
本発明は、前記演出手段（液晶表示器１３５）及び前記演出手段取付部材（液晶取付けケース３０１）からなる演出手段ユニットと、演出制御手段（演出制御基板２０１）及び前記演出制御手段取付部材（基板取付けケース３０２）からなる演出制御手段ユニットとのうち、重量が重い方のユニットが前記筐体（前面扉２ｂ）の所定箇所に取り付けられている。
【手続補正１８】
【補正対象書類名】明細書
【補正対象項目名】０１９２
【補正方法】変更
【補正の内容】
【０１９２】
本発明は、前記演出手段（液晶表示器１３５）は、前記演出手段取付部材（液晶取付けケース３０１）におけるほぼ中央位置に取り付けられている。
【手続補正１９】
【補正対象書類名】明細書
【補正対象項目名】０１９３
【補正方法】変更
【補正の内容】
【０１９３】
本発明は、前記演出手段（液晶表示器１３５）は、前記筐体（前面扉２ｂ）における前記可変表示装置の上方所定箇所に、遊技者側に向けて取り付けられている。